(57)【要約】  本発明は、光源（２）によって放出された光（Ｌ）の色相（Ｈ）及び彩度（Ｓ）を制御するための制御デバイスに関する。デバイスは、光源で利用可能な色相及び彩度の複数の選択可能な組み合わせ可視表示（１０，１１，１２，１３）を含む表面（２１）を有する本体（２０）を備える。デバイスは、表面上での色相及び彩度の選択に応じて、選択された色相及び彩度を含む少なくとも一つの選択信号を生成するための手段（２６）と、選択された色相及び彩度の組み合わせに関連して光の色相及び彩度を制御するために選択信号を光源に伝達するための手段（２７）とを有する。制御デバイス（１）は、簡単であり、且つユーザにとって直感的である。
2009524904.tif 000002
【特許請求の範囲】
【請求項１】
光源（２）によって放出された光（Ｌ）の色相（Ｈ）及び彩度（Ｓ）を制御するための制御デバイスであって、
前記光源で利用できる色相、及び彩度の複数の組み合わせの可視表示（１０，１１，１２，１３）を含む表面（２１）を有する本体（２０）と、
前記表面上での色相及び彩度の組み合わせの選択に応じて、選択された色相及び彩度を備える少なくとも一つの選択信号を生成する手段（２６）と、
前記選択された色相及び彩度の組み合わせに従って前記光の色相と彩度を制御するために、前記選択信号を前記光源に伝達する手段（２７）と、を備える、
ことを特徴とする制御デバイス（１）。
【請求項２】
前記制御デバイスは、さらに前記光の輝度制御を行うことができ、
前記デバイスは、前記本体（２０）又は表面（２１）の操作を感知するための手段（２８）をさらに含み、
この手段は、前記本体の感知された操作に応じて輝度選択信号を生成する、
請求項１に記載のデバイス（１）。
【請求項３】
前記本体は、ハウジング（２３）に回転可能に受け入れられている実質的な球体であり、
前記デバイスは、前記選択された色相及び彩度を決定するセンサ（２４）をさらに含む、
請求項１に記載のデバイス（１）。
【請求項４】
各々の彩度（Ｓ）は、実質的に、前記球体（２０）上の互いに反対の位置に重複して表示されている、
請求項３に記載の制御デバイス（１）。
【請求項５】
前記球体（２０）は、前記本体の周に沿って規定された色相選択曲線（２２）と、
前記本体の前記色相選択曲線と略直角なさらなる周の一部に沿って規定された彩度選択曲線と、を有する、
請求項３に記載の制御デバイス（１）。
【請求項６】
前記センサ（２４）は、前記ハウジング（２３）内に収容され、
前記デバイスは、前記ハウジング内の前記球体の一部を照らすための光源（２５）を備える、
請求項３に記載の制御デバイス。
【請求項７】
前記制御デバイスは、さらに前記光の輝度を制御でき、
前記ハウジングは、前記球体（２０）の並進（Ｔ）を決定し、且つ前記光源（Ｌ）の輝度を制御するために前記感知された並進に応じて輝度選択信号を生成するセンサ（２８）を備える、
請求項３に記載の制御デバイス。
【請求項８】
前記可視表示（１０）は、円として表示されている、
請求項１に記載の制御デバイス（１）。
【請求項９】
前記可視表示（１１，１３）は、三角形として表示されている、
請求項１に記載の制御デバイス（１）。
【請求項１０】
前記制御デバイスは、さらに前記光の輝度を制御でき、
前記表面は、変形可能な表面（２１）を備え、
前記デバイスは、前記表面の変形を決定でき、且つ前記光（Ｌ）の輝度を制御するために前記感知された変形に応じて輝度選択信号を生成できるセンサ（２８）を含む、
請求項１に記載の制御デバイス。
【発明の詳細な説明】
【技術分野】
【０００１】
概略的には、本発明は、光源に関する。より詳細には、本発明は、光源によって放出された光の色を選択するための制御デバイスに関し、特に、この光源によって放出された光の色相及び彩度を選択するための制御デバイスに関する。
【背景技術】
【０００２】
光源は、例えばリビングルームで雰囲気を作り出すために、幾つかの種類の雰囲気照明、及びアンビエントライトの用途にしばしば利用される。ますます、これらの光源は、異なる色を放出する複数の発光ダイオード（ＬＥＤ）を備えている。他の種類の光源の中でも、ＬＥＤを採用した光源は、この光源から放出した光の色の制御を可能にする。
【発明の開示】
【発明が解決しようとする課題】
【０００３】
典型的な制御デバイスは、放出光の色相、彩度、及び場合によっては輝度を別々に制御するためのボタンを備えている。しかしながら、そのような制御デバイスでは、光源が放出された光をユーザが所望色に選択することが困難であることが分かってきている。
【０００４】
従って、光源によって放出される光を、より単純に、且つより直感的に制御する方法を提供する必要がある。
【０００５】
本発明の目的は、より単純で、且つより直感的な方法で、光源によって放出された光の制御を可能にするデバイスを提供することである。
【課題を解決するための手段】
【０００６】
本発明は、光源によって放出された光の色相及び彩度を制御するための制御デバイスを提供する。デバイスは、光源で利用できる、色相及び彩度の選択可能な複数の組み合わせの可視表示を含む表面を有する本体を備えている。デバイスは、表面上での色相及び彩度の組み合わせの選択に応じて少なくとも一つの選択信号を生成する手段をさらに有し、この選択信号は、選択された色相及び彩度を備えている。この手段は、選択された色相及び彩度の組み合わせに従って光の色相及び彩度を制御するために、選択信号を光源に伝達するために設けられる。印刷、表示、又は別の方法で（色相及び彩度のディメンジョンを一つの表示で示す）色空間の少なくとも一部を表面に提供することによって、ユーザは、簡単に色相及び彩度の組み合わせに対応する表面の位置又は領域を（例えば、自身の指又は選択デバイスを用いて）選択できる。換言すれば、放出光の色相及び彩度を、一つの選択動作で、表面上で自由に且つ同時に選択できる。この選択は、制御デバイスによって決定され、対応する色相及び彩度の光を放出させるように光源を作動させる。従って、光源の制御は、簡単で直感的である。
【０００７】
請求項２に規定された発明の態様は、色相及び彩度の選択のためのものと同じ本体を使用して放出光の輝度を追加で制御する利点をもたらす。従って、放出光の色相、彩度、及び輝度の全てが一つの本体の操作によって制御できる。
【０００８】
請求項３に規定された発明の態様は、実証済みの技術を使用して、色相及び彩度の選択された組み合わせを決定するのに適当な態様を提供する。
【０００９】
請求項４及び５に規定された発明の態様は、色相及び彩度の選択を球体の一方の側で行うのに対して、この選択の決定は球体の反対側で行える利点を提供する。
【００１０】
請求項６に規定された発明の態様は、アンビエントライトが、色相及び彩度の選択の光学的な決定を妨げない利点を提供する。
【００１１】
請求項７に規定された発明の態様は、球体を使用する実施形態の輝度制御の機能性と、色相及び彩度の所望の組み合わせの選択手段とを統合した適当な態様を提供する。
【００１２】
請求項８に規定された発明の態様は、色相及び彩度の可視表示として、ユーザにとって直感的選択手段として認められるカラーホイールを提供する。
【００１３】
光源は、色空間全体で利用可能な色のガムットを定義する、異なる色の複数の発光ダイオード（ＬＥＤ）を備えているのが好ましい。請求項９に規定された発明の態様は、このガムットを表示するための適当な形状を提供する。請求項１０に規定された発明は、色相及び彩度の所望の組み合わせを選択するための選択表面からの触感の手応えを提供する、追加の輝度制御の機能性を有する制御デバイスを提供する。
【００１４】
当然のことながら、一又は二以上の請求項の対象物、又はこれらの特徴は、組み合わせることができる。
【発明を実施するための最良の形態】
【００１５】
本発明による好ましい実施形態を略図で示す添付図面を参照して、本発明をさらに説明する。本発明は、どんな方法でもこれらの詳細、且つ好ましい実施形態に限定されない。
【００１６】
概略図である図１では、光源２を制御するために制御デバイス１を採用し、光源２は、光源２が異なる色の光Ｌを放出できるように、異なる色の複数の発光ダイオード（ＬＥＤ）を備えている。制御デバイス１による光源２の制御は、無線又は有線（図示せず）の何れか一方によって実施するのがよい。
【００１７】
具体的には、本発明の実施形態による制御デバイス１は、光源２の光Ｌの色を制御するように構成されている。光Ｌの色は、当業者に知られているように、光Ｌの色相Ｈ及び彩度Ｓの組み合わせで規定される。光Ｌの色相Ｈは、主波長を表すのに対して、光Ｌの彩度Ｓは、放出光Ｌの色相の優勢性を表し、換言すれば、彩度Ｓは、放出光の色の全ての波長に対する主波長の割合である。特定の色相Ｈでの１００％の彩度Ｓは、「純粋な」色相Ｈを表す。本発明の実施形態によれば、制御デバイス１がユーザに所望の光源２の光の色を、容易に且つ直感的に選択させるために、色相と彩度の多数の組み合わせの印刷表示が提供される。図２Ａから２Ｃは、色空間表示と称されるそのような表示の幾つかの例を示す。
【００１８】
図２Ａは、その外周に、純色の緑（Ｇ）、黄（Ｙ）、赤（Ｒ）、マゼンタ（Ｍ）、ブルー（Ｂ）、及びシアン（Ｃ）があるカラーホイール１０を表す。完全なカラーホイールを提供するために、さらなる（第三色の）純色を加えてもよい。色相のディメンジョンは、有効な色相Ｈを表すカラーホイール１０の周によって規定される。他方で、カラーホイール１０の彩度のディメンジョンは、１００％（周）と０％（カラーホイール１０の中心）の間の彩度を表す、半径方向によって規定される。カラーホイール１０が、色相及び彩度の多数の組み合わせを提供することは明らかである。
【００１９】
図２Ｂは、異なる表示を示す。色空間を視覚化するために、カラーホイール１０の代わりにカラートライアングル１１を採用する。ＧＢは、青緑を示す。Ｐは、紫を表す。この場合もやはり、トライアングル１１の周が完全な純色の色相Ｈを定義するのに対して、入ってくる方向が彩度Ｓを定義する。この場合もやはり、カラートライアングル１１が、色相及び彩度の多数の組み合わせを提供することは明らかである。
【００２０】
図２Ｃは、ＣＩＥ表示と称される、色空間の周知の表示１２を表す。やはり周が、色相Ｈを表すのに対して、入ってくる方向が彩度Ｓを定義する。この場合もやはり、ＣＩＥ表示１２は、複数の色相／彩度を規定することが明らかである。光源２からの人工光は、全範囲の色相Ｈと彩度Ｓを取り扱うことができないので、実際には、実際に利用できる色相及び彩度の組み合わせを規定するために、しばしばガムットと称される限られた領域１３が描かれる。ガムット１３の形及び大きさは、ＣＩＥ表示１２の中でのＬＥＤ３の配置によって決定される。
【００２１】
当然のことながら、光Ｌの第三特性、つまり輝度は、カラーホイール１０、カラートライアングル１１、又はＣＩＥ表示１２の何れにも表されていない。光Ｌの輝度、又は光量は、光の全体の強度又は強さを示す。制御デバイス１は、図３、４Ａ、及び４Ｂを参照して説明するように、所望の輝度を選べるようになっていてもよい。
【００２２】
図３は、制御デバイス１の好ましい第１実施形態の略図である。制御デバイス１は、色相と彩度の複数の組み合わせが印刷された表面２１を有する球体２０を備える。例えば、球体２０の半分に図２Ａのカラーホイール１０が設けられるのがよい。しかしながら、本発明の範囲から逸脱することなく、他の色相と彩度の組み合わせの表示を適用してもよい。
【００２３】
カラーホイール１０は、光源２の光Ｌに使用できる色相Ｈと彩度Ｓを含むにすぎず、すなわち、表示されている色相と彩度の組み合わせが、光源２の光の放出性能、詳細には、ＬＥＤ３の光の放出性能によって必然的に決まるのが好ましい。
【００２４】
さらに、本実施形態では、カラーホイール１０が、球体２０の二箇所に印刷されている。２つのカラーホイール１０の境界線２２は、純色、すなわち彩度Ｓが１００％の色相Ｈを表している。線２２に対して垂直方向が、彩度のディメンジョンである。各彩度Ｓは、表面２１で２箇所で利用でき、すなわち特定の彩度Ｓが、境界線２２の両側に表示されている。従って、表面２１上の色相及び彩度の組み合わせの可視表示は、互いに反対の位置に配置された北極及び南極に、二つの白位置（彩度Ｓ＝０％）、及び各々の色相Ｈのためにさらに反対の位置に配置された対応する彩度Ｓを有する。
【００２５】
球体２０は、制御デバイス１のハウジング２３に回転可能に収容されている。どの色相と彩度の組み合わせが選択されたかを決定するために、カラーセンサ２４が、ハウジング内に設けられる。カラーセンサ２４は、センサ２４が球体２０に関して、より詳細には表面２１に関して焦点調節を要求しないのでカメラよりも有利である。カラーセンサ２４は、表面２１の特定の領域から受光していてもよく、結果として光源２に伝達されるべき色相及び彩度の組み合わせを提供するために、センサ２４が受光している色相及び彩度の組み合わせの平均値を決定するのがよい。
【００２６】
カラーセンサ２４は、球体２０がカラーセンサ２４が受光している間、周囲の光を受け入れないようにハウジング２３内に配置されるのが好ましい。従って、光源２５は、カラーセンサが受光している色相及び彩度の組み合わせをカラーセンサ２４が決定できるように、ハウジング内に設けられる。好ましくは、光源は、一、又は二以上の発光ダイオードを含む。より好ましくは、色相及び彩度の選択が最適に決定されるようにＬＥＤは、赤色、緑色、及び青色ＬＥＤからなる。
【００２７】
センサ２４は、面２１上での色相及び彩度の組み合わせの選択に応じて、少なくとも一つの選択信号を生成する手段２６を含む、またはこの手段に通信可能に接続され、この選択信号は、選択された色相、及び彩度を備える。センサ２４によって決定された色相及び彩度の組み合わせに従って光Ｌの色相及び彩度を制御するために、選択信号は、選択信号を光源２に伝達するためのさらなる手段２７に供給される。当業者に知られている信号生成及び伝達が適用される。
【００２８】
最後に、制御デバイスは、球体２０の並進Ｔを感知するための手段２８を含む。このセンサは、並進の感知に応じて、輝度選択信号を発生してもよい。この輝度選択信号は、生成され、且つ光Ｌの輝度を制御するために光源２に伝達される。
【００２９】
作動中は、ユーザは、複数の色相及びサイドの可視の組み合わせが設けられた球体２０を、例えば自身の指で回転させることによって制御デバイスを操作するのがよい。センサ２４が球体２０の南極から受光するように位置決めされると、この色相と彩度の組み合わせは、この色相及び彩度の組み合わせが反対側すなわち北極でユーザに見えるように球体２０を回転させることによって選択される。上述のように色相及び彩度の組み合わせは、対称的に表示されているので、球体２０の北極にある選択された色相及び彩度の組み合わせは、センサ２４が受光している色相及び彩度の組み合わせに対応する。その結果、光源２は、選択された色相及び彩度の光Ｌを放出する。
【００３０】
球体２０に力Ｆを加えることによって、ユーザは、球体２０を並進センサ２８の方向に移動させる。並進Ｔは、センサ２８によって感知され、光源２によって放出される光Ｌの輝度Ｂを変更するために輝度選択信号に変換される。
【００３１】
制御デバイス１の変形の実施形態を、図４Ａ及び４Ｂを参照して説明する。
【００３２】
制御デバイス１は、光源２からの放出光Ｌで利用可能な色相及び彩度の組み合わせの印刷表示を有する表面２１を備える本体２０を有する。図４Ａに示す制御デバイスの表面２１は、印刷された色空間表示として、図２Ａに示す印刷されたカラーホイール１０を備える。図４Ｂに示す制御デバイス１の表面２１は、印刷された色空間表示として、図２Ｂに示す印刷されたカラートライアングルを備える。図３の実施形態に関しては、色相及び彩度の組み合わせの変形の可視表示を表面２１に適用してもよい。表面２１は、必ずしも円形又は三角形でなくてもよい。しかしながら、特に図４Ｂの制御デバイスの三角形表面２１は、色空間のＣＩＥ表示１２のガムットを視覚的に表示するのに適している。変形例として、三角形表面２１は、図２Ｂのカラートライアングルを表示してもよい。
【００３３】
図３の制御デバイスに関しては、図４Ａ及び４Ｂの制御デバイス１が、表面２１に表示された色相及び彩度の組み合わせの選択を感知することができる。色相及び彩度の所望の組み合わせの選択は、例えばユーザの指又は選択デバイスによって成し遂げられる。色相及び彩度の組み合わせは、当業者に知られている容量性手段を含み、どんな手段によって検出してもよい。この容量性手段は、ユーザによって触れられた位置を決定することができる。図４Ａ及び４Ｂの制御デバイス１は、決定された位置を、表面のその決定された位置に印刷された色相及び彩度の組み合わせに対応する色相及び彩度の組み合わせに関連づける格納参照テーブルを有していてもよい。表面で選択された位置と、対応する色相及び彩度の組み合わせとを関連付ける例えばカメラのような手段による視覚的な検出、又は圧力センサを含む、他の手段も本発明の範囲内にある。
【００３４】
図４Ａ及び図４Ｂの制御デバイス１は、表面２１上で選択された色相及び彩度の組み合わせに応じて少なくとも一つの選択信号を生成するための手段２６（図４Ａ及び４Ｂには図示せず）を備え、この選択信号は、選択された色相Ｈ及び彩度Ｓを備える。選択信号は、容量性手段及び参照テーブルによって決定された色相及び彩度の組み合わせに従って光Ｌの色相及び彩度を制御するために、選択信号を光源２に伝達するための手段２７に供給される。
【００３５】
図４Ａ及び４Ｂの制御デバイス１の表面２１は、例えばクッションのような感触を有し、変形可能であるのが好ましい。この特徴は、一つの表面２１の操作によって、制御デバイス１が光源２によって放出された光Ｌのさらなるパラメータ、最も好ましくは光Ｌの輝度を制御するのを可能にする。或る位置への力Ｆの適用は、上述のように色相及び彩度の組み合わせの選択と同様に、放出光Ｌの輝度の選択をもたらす。力Ｆは、適当なセンサ２８（図示せず）によって決定することができる。変形可能な表面２１は、制御デバイス１のユーザに知触性の手応えを提供する。
【００３６】
操作中は、ユーザは、例えば自身の指で、表面２１に可視化された色相及び彩度の多数の組み合わせから特定の色相及び彩度の組み合わせに触れることによって図４Ａ又は４Ｂの制御デバイス１を操作し、その結果、光源２は、所望の色相及び彩度の光Ｌを放出する。力Ｆの感知も、同様に光Ｌの所望の輝度を設定する。
【００３７】
図３、４Ａ、及び４Ｂに関する上述の実施形態より、色相及び彩度の複数の組み合わせが、色相及び彩度の（準）連続系列を構成すると予想すべきでなく、すなわち、事実上、全ての色相及び彩度を選択してもよい。表面２１には、光源２によって放出される色相及び彩度の組み合わせが表示されているに過ぎないことは、既に述べた。しかしながら、図５に示すような変形実施形態では、離散的な数の色相及び彩度の組み合わせが表面の表示から選択できるに過ぎないかもしれず、例えば個々の組み合わせは、表面の対応する数のセクション２９から選択してもよい。
【００３８】
請求項では、括弧の間に配置された参照記号は、請求項を限定するものではない。「備える」の語は、請求項に挙げられた構成要素又はステップ以外の構成要素の存在を除外しない。幾つかの手段が互いに異なる従属項に列挙されている単なる事実は、これらの手段の組み合わせが利益のために使用できないことを示すものではない。
【図面の簡単な説明】
【００３９】
【図１】制御デバイスによって制御可能な光源を表す。
【図２】ＡないしＣは、色空間の種々の表示を表現する。
【図３】本発明の第１実施形態による制御デバイスを示す。
【図４】ＡおよびＢは、本発明の第２実施形態による制御デバイスの略図である。
【図５】本発明の第２実施形態による制御デバイスの略図である。
【図６】本発明の第３実施形態による制御デバイスの表面の例を示す。
【図１】
2009524904.tif 000003
【図２Ａ】
2009524904.tif 000004
【図２Ｂ】
2009524904.tif 000005
【図２Ｃ】
2009524904.tif 000006
【図３】
2009524904.tif 000007
【図４Ａ】
2009524904.tif 000008
【図４Ｂ】
2009524904.tif 000009
【図５】
2009524904.tif 000010
【国際調査報告】
2009524904.tif 000011
2009524904.tif 000012
2009524904.tif 000013